(57)【要約】      （修正有）【課題】辛く不愉快な思いをすること無く、ひげ剃りが出来る簡易型かみそりを提供する。【解決手段】ひげを剃る時、わざわざクリームや石けんを用意しなくても済むよう、予め刃１の下側から裏側下端までの底部全体を包む形で、肌を滑らかにする為の円滑材２を帯状に塗布した。【選択図】図１
0003204135.tif 000002
【実用新案登録請求の範囲】
【請求項１】
ひげを剃る時、わざわざクリームや石けんを用意しなくても済むよう、予め刃の下側から裏側下端までの底部全体を包む形で、肌を滑らかにする為の円滑材を帯状に塗布した簡易型かみそり。
【考案の詳細な説明】
【技術分野】
【０００１】  本考案は、肌を滑らかにする為の円滑材を、かみそりの下部を包むように、刃の下側から裏側下端までの全体を、帯状に塗布した簡易型かみそりに関するものである。
【背景技術】
【０００２】  私は今でもよく旅行に出かけるが、その度にかみそりとして持って行くのは、安価な使い捨てのかみそりである。使い捨て用の簡易型とは言え、これは優れもので、剃り味が良くて軽く嵩張らず、その上、人に因っては１本で二度、三度使っても極端に剃り味が悪くなる事も無い。【０００３】  このような形のものを使い始めたのは、ある国に長期滞在していた時の事で、それから既に２０年余り経っている。使い始めは偶然で、それ以後出かける時は必ず持参し、また日常生活でもよく使う。【０００４】  以前は名の通った一、二のメーカーが製造していたようだが、今では多数のメーカーが似たものを作っていて、世界の何処でも容易に安価で手に入る。しかも、ホテルに備え付けの物も、機内で配ってくれる物も、同様のものが多くて助かる。【０００５】  これはかなり以前の話だが、国内のいろいろな所に出かけていた頃は、温泉旅館等に泊まる事が多かった。いずれも用意してもらった旅館やホテルであったが、幸い一流と言われている所が殆どであった。ところが、備え付けられていたどのかみそりも私の肌に合わなかっただけでなく、顔に傷をつける事もしばしばあり、それからは専ら電気かみそりを持ち歩いた。【０００６】  尤も、その電気かみそりもすんなりとは行かなかった。特に海外で使用するには、やれ使用電圧だコンセントの形がどうの等、それぞれを滞在する所に合わせねばならず、面倒な上に、肝心の剃り味は今一歩で然程満足のいくものではなく、更に当時のものは案外重く、嵩張り荷物になった。
【考案の開示】
【考案が解決しようとする課題】
【０００７】  このようなことで苦労していた８０年代に出会ったのが、今でも良く似た製品が出回っている簡易型かみそりである。現在では、刃が２枚３枚と増えたり、クリームや石けんを塗布している物までいろいろ有り、容易に何処でも手に入る。【０００８】  それらは何れも安価で使い勝ってに優れていて、確かに昔の「安全かみそり」と比べれば格段の進歩と言える。ところが少し困ったことも無くはない。それは、これらの簡易型かみそりの中にクリームや石けんを塗布している物があり、その親切がかえって不都合な問題を抱えているからである。【０００９】  それらはクリームや石けんが刃の上側に塗布されている為、ひげを剃る時最初にひげの位置まで来るのは刃であって、クリームや石けんが肌を滑らかにするのはその後となる。それ故、少なくとも剃り始めはクリームや石けんが肌を保護する事がない。これは少々辛い。それならば別の考えが有ってのことだろうか。【００１０】  ひげを剃る一連の動作を思い出してみると、全く別のことも考えられる。それは円滑材の単なる保管場所として、刃の上側に塗布しているのではないだろうか。まず温水でひげを濡らし、かみそりを上下逆さまにして円滑材を塗り、かみそりの上下を元に戻して、改めてひげを剃り始める、と言うように。しかし、これなら随分と面倒だ。この動作の流れを書くだけでも手間がかかる。と言う訳で、これも刃の上側に塗布している理由ではなさそうだ。【００１１】  しかし、どのような理由であれ、柔らかな産毛ならいざ知らず、たとえひげの濃くない男性でも、まして「ひげ面」ならば尚更、クリームや石けんを塗らずにひげを剃ることは辛く、不快な一日の始まりとなる。【００１２】  そうであれば、肌を滑らかにする円滑材が刃の上側にではなく、下側、出来れば下側全体に塗布してあれば、不快なくひげが剃れるのではないだろうか。
【問題を解決するための手段】
【００１３】  そこで円滑材として塗布するクリームや石けんの位置を、かみそりの刃の上側ではなく下側とし、更に下側全体を包み込むように塗布してあれば、それらが肌を滑らかにし、その直後に刃がひげの根元を通過する段取りとなる。
【００１４】  刃の下側から裏側の下端までを、横から見れば、仮名文字の「し」の形に、刃の下部全体を包み込むような形で帯状に塗布する。塗布する円滑材としてはクリームや石けんが使い易く、多くの人の肌とも相性が良いようだ。
【００１５】  かみそりの刃の下側から底部を回り込み、裏側の下端までを、断面で見ると「し」の形のように、厚さ０．６ミリの帯状に円滑材を塗布する。頬などの平面であれば、刃の下側に塗布したものだけでも対応出来るが、顎の曲がった部分や下から上に向けてひげを剃る時は、底部に塗布したものが役に立つ。
【考案の効果】
【００１６】  かって不愉快な思いをした簡易型のかみそりは、手で持つ柄の部分が短く、使い辛いものであった。高級品も道具そのものとしては美しく、精巧な作りであったが、その頃のものは概して柄が短く、それを使うには器用さを要した。それらに比べると、現在の安価な簡易型かみそりは柄も適度に長くて使い易い。
【００１７】  ひげを剃る時に肌を滑らかにする円滑材を塗布した簡易型かみそりが出回って既に久しいが、いずれの製品も円滑材を刃の上側に塗布している為、いざひげを剃ろうと肌に当てると、クリームや石けんが肌を保護する事無く、刃が直接に当たり、はだを痛めつけることになる。産毛ならいざ知らず、これは少々痛く不愉快である。
【００１８】  それでも同じ所を何度か往復していれば、刃の上側に塗布されたクリームや石けんが肌に馴染み始めると言えなくもないが、残念なことに、その頃には既にひげは剃り終えているということにもなりかねない。そこで、塗布する位置を変えてみる。
【００１９】  刃の下側全体に塗布してあれば、まず、そのクリームや石けんがひげの位置まで来て肌を滑らかにし、その直後に刃がひげの根元を通過することで、不快なくひげを剃ることが出来る。顔の平らな部分では、刃と同じ平面上にある塗布材だけでも対応が可能だが、顎等の鋭角に曲がったような立体面では、かみそりの底部、特に裏側下端の近くに塗布したものが使われる。また、かみそりを逆手で使用する場合でも、裏側下端の底部に塗布した円滑材が有効である。
【考案を実施するための最良の形態】
【００２０】  一連の動作で素早くひげを剃る事が出来るように、肌を滑らかにする円滑材をかみそりの刃の下側全体に塗布する。その材質はクリームや石けんが肌に無難で、多くの人に受け入れられ、費用も安く何処でも入手が可能。その円滑材は刃の下側から裏側の下端までを回り込むように、０．６ミリの厚さで包み込む。
【図面の簡単な説明】
【００２１】
【図１】  円滑材で刃の下側を包むように塗布した簡易型かみそりの全体図。
【符号の説明】
【００２２】１        かみそりの刃
２        円滑材
３        かみそりの柄
【図１】
0003204135.tif 000003